(57)【要約】【課題】　配線コードの抜脱防止とランプ風車等の装着部品の電気的誤動作等の防止及びその組み付け時の作業性の向上を図る。【解決手段】　パチンコ機の装着部品に設けられる回路基板に接続する配線コードを、回路基板（３０）に係着され前記回路基板（３０）後面のプリント配線部分を覆って防護する基板カバーを兼ねた配線係り止め部材（４０）と該回路基板（３０）とに設けた配線係支部により一方向に誘導し保持した基板配線保持構造において、前記回路基板（３０）と配線係り止め部材（４０）の配線係支部として、回路基板（３０）と配線係り止め部材（４０）に係支孔（３２、４２）を設け、該両係支孔（３２、４２）に配線挿入用溝孔（３３、４３）を相互に変位した位置に形成し、配線係り止め部材（４０）に係止凸部（４４）を形成したパチンコ機における基板配線保持構造。【選択図】　　図６
2004105773.tif 000002
【特許請求の範囲】
【請求項１】
パチンコ機の装着部品に設けられる回路基板に接続する配線コードを、回路基板（３０）に係着され前記回路基板（３０）後面のプリント配線部分を覆って防護する基板カバーを兼ねた配線係り止め部材（４０）と該回路基板（３０）とに設けた配線係支部により一方向に誘導し保持したパチンコ機における基板配線保持構造において、
　前記回路基板（３０）と配線係り止め部材（４０）の配線係支部として、回路基板（３０）と配線係り止め部材（４０）に係支孔（３２、４２）を設け、該両係支孔（３２、４２）に配線挿入用溝孔（３３、４３）を相互に変位した位置に形成し、配線係り止め部材（４０）に係止凸部（４４）を形成し、
　前記両係支孔（３２、４２）に前記配線コードを通した状態において両配線挿入用溝孔（３３、４３）を変位しかつ前記回路基板（３０）の配線挿入用溝孔（３３）に前記係止凸部（４４）を嵌合して回路基板（３０）と配線係り止め部材（４０）を被着すると共に、前記位置決め用凸部（４４）の前記回路基板（３０）の配線挿入用溝孔（３３）への嵌合により前記配線コードが前記回路基板（３０）の係支孔（３２）から抜け出し不能に前記回路基板（３０）の配線コード挿入用溝孔（３３）を塞いだことを特徴とするパチンコ機における基板配線保持構造。
【発明の詳細な説明】
【技術分野】
【０００１】
　この発明は、パチンコ機における基板配線保持構造に関し、詳しくは、パチンコ機の装着部品に設けられる回路基板の配線コードの誘導保持処理が適切に行いうるとともに、回路基板の防護をもするパチンコ機における基板配線保持構造に関する。
【背景技術】
【０００２】
　パチンコ機において、遊技球のガイドレールで囲まれた遊技盤面には各種の入賞口及び風車等の装着部品が装備され、各々の装着部品又は必要な装着部品にはランプ等が格別に設けられ、このランプ等は配線基板の表面側に取付けられ、その配線基板の裏面側には電気回路（たとえば、プリント配線又はコードによる配線）が形成してあり電気的に接続されている。また、その電気回路は配線基板の表面側に取付けのコードコネクタあるいはハンダ付けによって配線コードを介して電源と接続される。
　そこで、上記配線基板において、電源用の配線コードをハンダ付けで行うことは禁止され、最近ではコネクタ結合が主流となっているが、たとえば、パチンコホールの係員が遊技盤（機構板）を開けてパチンコ機の、いわゆる、裏部品等の保守、点検、修理、掃除等を行うとき配線コードを引っ掛けてそのコネクタ結合を外してしまうことが多々ある。このとき、パチンコ機の裏面側には多数の配線が複雑に入りくんでいるため、再度コネクタ結合するのには極めて困難性がともなう。そのため、かかる不都合を解消する配線コードの抜脱防止技術が先に提案されている（たとえば、特開平１０−２１１３３８号公報参照）。
【０００３】
　上記従来の配線コードの抜脱防止技術は、コードコネクタを介して電気接合される電気回路が形成され、ランプ等の電気部品が上記電気回路を介して電気的に接続される配線基板において、上記配線基板の表面側に設けられたコードコネクタに配線コードの端部に接続の配線端子コネクタを結合するとともに、配線コードを上記配線基板の表面側から裏面側に配線するにあたり、配線コードを配線基板の縁部に形成された切欠部に連通する挿通孔を介して表面側から裏面側に配線することによって配線コードを引っ掛けても配線端子コネクタは配線基板の表面側にあり、かつ、配線コードは挿通孔を介して裏面側に引張られるため、配線端子コネクタにはコードコネクタから抜ける方向の力が働かないので、配線端子コネクタのコードコネクタからの抜脱が防止できる構造となっている。
【発明の開示】
【発明が解決しようとする課題】
【０００４】
　しかしながら、こうした配線コードの抜脱防止技術では、配線基板の挿通孔が基板端縁の切欠部に連通しているため、この切欠部は配線コードが挿脱できる配線コード挿入用溝孔となっており、しかも、この配線コード挿入用溝孔が下向きに開放されていることもあって配線コードの弛み等により配線コードが切欠部から直ぐ脱出してしまうことが多く、配線コードの長さの規制が必要なことと相まって組みつけ作業時は配線コードが挿通孔に挿通されているか否かの確認が必要であり、挿通されていない場合は配線コードを切欠部から挿通孔に挿入してから裏面側に配線するという余分な作業を要し、また、配線基板のコードコネクタを介して電気接合される電気回路を形成する裏面側はむき出しになっているため、塵、埃、タバコのやに等の夾雑物が裏面側に付着して基板の接続不良を生じ、装着部品の誤動作、作動不良等のトラブルが頻繁に発生するという問題点があった。
【０００５】
　この発明は上記課題を解決し、配線コードの抜脱防止と回路基板の汚れによる基板の接続不良、装着部品の誤作動、作動不良等を確実に防止し、併せて組み付け時の作業性をも向上せしめたパチンコ機における基板配線保持構造の提供を目的としている。
【課題を解決するための手段】
【０００６】
　上記課題を解決するこの発明の請求項１記載のパチンコ機における基板配線保持構造は、パチンコ機の装着部品に設けられる回路基板に接続する配線コードを、回路基板（３０）に係着され前記回路基板（３０）後面のプリント配線部分を覆って防護する基板カバーを兼ねた配線係り止め部材（４０）と該回路基板（３０）とに設けた配線係支部により一方向に誘導し保持したパチンコ機における基板配線保持構造において、前記回路基板（３０）と配線係り止め部材（４０）の配線係支部として、回路基板（３０）と配線係り止め部材（４０）に係支孔（３２、４２）を設け、該両係支孔（３２、４２）に配線挿入用溝孔（３３、４３）を相互に変位した位置に形成し、配線係り止め部材（４０）に係止凸部（４４）を形成し、前記両係支孔（３２、４２）に前記配線コードを通した状態において両配線挿入用溝孔（３３、４３）を変位しかつ前記回路基板（３０）の配線挿入用溝孔（３３）に前記係止凸部（４４）を嵌合して回路基板（３０）と配線係り止め部材（４０）を被着すると共に、前記位置決め用凸部（４４）の前記回路基板（３０）の配線挿入用溝孔（３３）への嵌合により前記配線コードが前記回路基板（３０）の係支孔（３２）から抜け出し不能に前記回路基板（３０）の配線コード挿入用溝孔（３３）を塞いだことを要旨とする。
【０００７】
　上記構成を有するこの発明の請求項１記載のパチンコ機における基板配線保持構造は、パチンコ機の装着部品に設けられる配線コードが回路基板に係着される配線係り止め部材により一方向に誘導し保持されるので、配線コードの回路基板に対する係支が外れることはなく、また、回路基板に接続する配線コードの抜脱も確実に防止される。さらに、配線係り止め部材が回路基板の基板面を覆うカバーを兼備しているので、回路基板の基板面に塵埃、タバコのやに等が付着することによる基板の接続不良、装着部品の誤動作、作動不良等の不具合の発生が解消される。この結果、パチンコ機の装着部品に設けられる回路基板の配線コードの誘導保持処理が適切に行いうるとともに、回路基板の防護をもする。
　一端のコネクタ部材が回路基板に結合されたハーネスは配線係り止め部材の配線係支部に係支して脱出しないように保持され、また、回路基板の基板面は配線係り止め部材で覆われる。この結果、上記請求項１記載の特定発明の具現化が容易となる。
　回路基板と配線係り止め部材の係支孔に配線挿入用溝孔を通じて配線コードを挿入し、両配線挿入用溝孔の位置を変位して回路基板と配線係り止め部材とを被着するので、配線コードが抜けるのを防止でき、かつ、回路基板の配線挿入用溝孔を利用して配線係り止め部材の係止用凸部が係着されるから、回路基板と配線係り止め部材とを位置決めして組み立てが容易、確実に行え、かつ基板の配線をカバーできる。回路基板と配線係り止め部材の配線係支部の配線挿入部は配線の脱着が可能な異なる形状、大きさに形成されているので、配線の係支が配線係り止め部材の係支部により強固、確実に行え、ハーネスにかかる引張り力はコネクタまで至らない。この結果、コネクタの抜脱防止が効果的に具現できる。
【発明の効果】
【０００８】
　この発明のパチンコ機における基板配線保持構造によれば、パチンコ機の装着部品に設けられる配線コードが回路基板に係着される配線係り止め部材により一方向に誘導し保持されるので、配線コードの回路基板に対する係支が外れることはなく、組み付け時の作業性は向上する。また、回路基板に接続する配線コードの抜脱もないので、パチンコ機の裏部品等の保守、点検、修理、掃除等が安心して行える。
　さらに、配線係り止め部材が回路基板の基板面を覆うカバーを兼備しているので、回路基板の基板面に塵埃、タバコのやに等が付着することによる基板の配線等の接続不良、装着部品の誤動作、作動不良等の不具合の発生が未然に防止され、耐久性は著しく向上する。
　また、一端のコネクタ部材が回路基板に結合されたハーネスは配線係り止め部材の配線係支部に係支して脱出しないように保持されるので、組み付け作業性は能率的に、しかも、確実に行われ、また、回路基板の基板面に塵埃、タバコのやに等の夾雑物の付着による基板の配線等の接続不良装着部品の誤動作、作動不良等のトラブルの発生が未然に防止できるなど上記請求項１記載の発明の具現化が容易となる。
　回路基板と配線係り止め部材の係支孔に配線挿入用溝孔を通じて配線コードを挿入し、両配線挿入用溝孔の位置を変位して回路基板と配線係り止め部材とを被着できるので、配線コードが抜けるのを防止でき、かつ、回路基板の配線挿入用溝孔を利用して配線係り止め部材の係止用凸部を係着できるから、回路基板と配線係り止め部材とを位置決めして組み立てが容易、確実に行え、かつ基板の配線をカバーできる。回路基板と配線係り止め部材の配線係支部の配線挿入部は配線の脱着が可能な異なる形状、大きさに形成されているので、配線の係支が配線係り止め部材の係支部により強固、確実に行え、ハーネスにかかる引張り力はコネクタまで至らない。この結果、コネクタの抜脱防止が効果的に具現できる。
【発明を実施するための最良の形態】
【０００９】
　以上説明したこの発明の構成、作用を一層明らかにするために、この発明のパチンコ機における基板配線保持構造の好適な実施の形態について図面を参照して詳細に説明する。図１はこの発明のパチンコ機における基板配線保持構造を適用するパチンコ機の一例を示した正面図、図２はこの発明を適用した風車の正面図、図３は同側面図、図４は同平面図、図５は要部だけの拡大背面図である
【００１０】
　図１において、パチンコ機は側枠（外枠）１と、該側枠１の一側にヒンジにより開閉自在に軸支された前面枠体（内枠）２と、該前面枠体２の前面上部に開閉自在に設けられかつ遊戯盤３の前方を覆うガラス板を保持するガラス枠４と、前面枠体２の前面下部に開閉自由に設けられかつ上受け皿５が固着される上受け皿取付け用前板６と、該前板の下方の前面枠体２に下受け皿７、ハンドル８、発射レバー９等から構成されている。発射レバー９の操作により上皿から遊戯球が一個ずつ発射部に供給されて、発射レバー９を手で触れ右に回すと発射機構が作動して、遊戯球遊戯盤３の誘導レール１０に沿って発射される。遊戯盤面上に発射された遊戯球は入賞口に入賞するかアウト口に入る。
【００１１】
　図１において、遊戯盤３には誘導レール１０、ランプ風車１１、左袖又は右袖入賞口５１、左落とし又は右落とし入賞口５２、第１種始動口（普通電動役物に係る入賞口）５３、大入賞口５４、特定領域５５、左右ゲート５６、普通図柄表示装置５７、特別図柄表示装置５８、サイド表示ランプ５９、風車６０、アウト口６１が備えられている。前面枠体２で、６２は枠トップ飾り、６３は枠飾りランプ、６４は鍵飾りランプ、６５は鍵、６６は球抜きボタン、６７は球出口、６８は球貸し操作部である。
【００１２】
　図２乃至図７はこの発明を上記ランプ風車１１に適用した例であって、風車の回転羽根体１２を取り付ける風車取付け板２０と、内部より照明するランプ（電球）、ＬＥＤ等照明具を備えた配線基板３０と、配線基板に係着される基板カバーを兼ねた配線係り止め部材の配線係り止め体４０とからなり、パチンコ機の装着部品に設けられる配線コードを配線基盤３０と配線係り止め体４０とに設けた配線係支部により一方向に誘導保持しうるように構成されている。
【００１３】
　上記回転羽根体１２は支持軸１３の先端部に軸方向には固定的で回転方向には自由に備えられ（図６参照）、支持軸１３の基端部は後述の風車取付板２０の筒状軸受け２１に前面側から挿通して支持軸１３の端部に筒状軸受け２１の端面に係合するＣリング１４を嵌めつけて回転羽根体１２を風車取付板２０の前面に回転自由で、しかも、抜脱しないように取付けうるように構成されている。
【００１４】
　風車取付板２０は、その背面側中心位置には上記回転羽根体１２の支持軸１３を挿通保持する筒状の軸受け２１と、軸受け２１の両側に後述する回路基板（以下配線基板という）３０に備えたランプ２８、２８の先端を若干臨ませて前記回転羽根体１２をランプ２８、２８の電光で照射するためのランプ孔２２、２２を有し、該筒状の軸受け２１の上部にはその先端細軸２３ａを配線基板３０の位置決め用孔３０ａに挿入して位置決め支持する軸２３と、また筒状の軸受け２１の下部には上記配線基板３０と後述する基板カバーを兼ねた配線係り止め体４０とを配線基板３０のネジ挿通孔３０ｂと配線係り止め体４０のネジ挿通孔４０ａを介して１つの止めネジ４６で同時にネジ止めするための螺筒体２４とが一体に備えられ、遊技盤３の所定の位置に風車取付板２０の両端部に備えたピン２５、２５で位置決めをした後、両端のビス孔２６、２６を介して風車１１が遊技盤３にビス止めできるように構成されている（図６参照）。２１ａは補強用リブ、２９はランプ保護筒体である。
【００１５】
　配線基板３０は、円形状の基板でその中心部には前記風車取付板２０の筒状軸受け２１の軸端が嵌挿できる嵌合孔３１が貫通して設けられ、該基板の周縁上部には配線コードの係受け部として、上記配線コード３５が挿通支持できる係支孔３２が穿たれ、該係支孔３２に周縁より配線コード挿入用溝孔３３が設けられる。実施形態では係支孔３２は配線コード３５が丁度挿入できる内径であり、その中心位置に周縁より配線コード挿入用溝孔３３が設けられている。この配線コード挿入用溝孔３３はコードの幅狭側を挿入しうる幅で、後述する配線係り止め体４０の位置決め用凸起４４が嵌合しうる位置決め用凹部を兼ねる。該嵌合孔３１の下部にはネジ挿通孔３０ｂが備えられている。配線基板３０の一側端には配線係り止め体４０の位置決め用凸起４５が係合する凹部３４が備えられている（図６参照）。溝孔の他に凹部３４を設けることにより、配線基板に対する配線係り止め体４０の位置決めを的確とでき、かつ凸部が折れるのを防止できる。なお、係支孔は一箇所に設けたが、これに限られるものではなく、複数箇所に設けてもよい。また、凹凸の係合を複数個所としたが、溝孔一個所だけでもよい。
【００１６】
　また、その前面側の上記風車取付板２０のランプ孔２２、２２に適合する部位にランプ２８、２８が取付けられ、一方のランプ２８の上面にハーネス（以下配線コードという）３５の配線端子コネクタ３６を差し込み結合するコードコネクタ３７が備えられ、後面側には上記ランプ２８、２８とコードコネクタ３７のプリント配線３８を施してこれらを配線コード３５を介して電源と接続できるようになっている（図６参照）。３９は配線コード３５の電源側の配線端子コネクタである。
【００１７】
　配線係り止め体４０は、内部が見えるように透明又は半透明の透光性がある合成樹脂製で、前記配線基板３０の外径とほぼ同じ大きさの円形とし、配線基板３０との間に少許の空間を構成して配線基板のプリント配線部全体をカバーする蓋状に形成され、配線コード係受け部が構成されている。この配線係り止め体４０の中心部には風車取付板２０の筒状軸受け２１の軸端が臨む貫通孔４１が設けられ、その周縁上部に配線コード係受け部として、前記配線基板３０の係支孔３２に略相当する形状、大きさの係支孔４２が穿たれ、この係支孔４２には前記配線基板３０の配線コード挿入用溝孔３３の位置とは相互に変位した位置に端面よりコード挿入用の溝孔４３が設けられている。実施形態では配線コード挿入用溝孔４３は周縁から係支孔４２の端に設けられ、前記配線基板３０の係支孔３２の位置とは変位した位置としてある。また前記配線基板と配線係り止め部材の配線係支部の配線挿入部は配線の脱着ができる異なる形状、大きさに形成されている。配線係り止め体４０には中央の貫通孔４１の下部の一個所にのみビス４６のネジ挿通孔４０ａが備えられ、上端後部と一側後端には前記配線基板３０の位置決め用凹部３３、３４に嵌合する位置決め用凸部４４、４５が備えられている（図６参照）。而して、配線係り止め体４０の位置決め用凸部４４、４５を配線基板３０の位置決め用凹部３３、３４に嵌合してから下部のネジ挿通孔４０ａにネジを脱着できる。なお、前記配線基板３０、配線係り止め体４０は円形としたが、これに限られるものではなく、例えば、サイド表示ランプ５９のサイドランプ基板（図示せず）の場合には楕円形、円弧形等に形成する。
【００１８】
　配線基板３０と配線係り止め体４０との被着構造は、配線基板３０と配線係り止め体４０の係支孔３２、４２に配線挿入用溝孔３３、４３が相互に変位した位置に形成され、該配線挿入用溝孔を変位して被着して、配線係り止め体４０は係支孔４２による配線コード３５の係支のほか、上記配線基板３０と略同一径となっていて配線係り止め体４０が配線基板３０に密接することにより配線基板３０の表面カバーを兼備するようになっている。また、配線基板３０のコード挿入用溝孔３３と配線係り止め体４０のコード挿入用溝孔４３は左右にずらせて止めるので、それだけでも配線コードの抜け止めとなり、配線基板３０のコード挿入用溝孔３３（凹部）に配線係り止め体４０の位置決め用凸部４４を嵌合して係支孔３２に挿通した配線コードを止めることができるので、配線コードを引張っても絶対に抜けることがない。配線基板３０の係支孔３２と、配線係り止め体４０の係支孔４２とは同じ形、大きさではないものとするのが好ましい。この係支孔３２、４２に配線コードを通すことにより、配線コードにかかる力はカバーである配線係り止め体４０の方にかかるのでコネクタを抜けにくくすることができる。
【００１９】
　上記構成において、ランプ風車１１の組み立て手順の一例について以下に説明すると、先ず、支持軸１３の先端部に回転自由に備えられた回転羽根体１２を風車取付板２０の筒状軸受け２１に支持軸１３の基端を前面側から挿通し筒状軸受け２１の端面から若干突出する支持軸１３の端部に筒状軸受け２１の端面に係合する大きさのＣリング１４を嵌めつけて回転羽根体１２を風車取付板２０の前面に回転自由で、しかも、抜脱することのないように取付ける。
【００２０】
　次いで、前面側の２つのランプ２８、２８とコードコネクタ３７とが後面側においてプリント配線３８して備えられている配線基板３０のコードコネクタ３７に配線コード３５の一端の配線端子コネクタ３６を差し込み結合し配線コード３５を反対側にユーターンさせて導き、ユーターンさせた配線コード３５を配線基板３０の上端部の係支孔３２に該係支孔３２と連通する上部のコード挿入用溝孔３３から挿入係支せしめた後、配線基板３０の前面側を上記風車取付板２０の後面側に当接して風車取付板２０の位置決め用の軸２３の先端細軸２３ａに配線基板３０の位置決め用孔３０ａを嵌めつけるとともに、風車取付板２０の筒状軸受け２１の軸端を配線基板３０の嵌合孔３１に嵌合して風車取付板２０に対し配線基板３０を位置決め接合する。配線基板３０の２つのランプ２８、２８は風車取付板２０のランプ孔２２、２２にその先端部が若干臨んだ状態にセットされ、また、配線基板３０のネジ挿通孔３０ｂは風車取付板２０の螺筒体２４の端面に螺筒体２４と同一軸線を保って接合される。
【００２１】
　その後、後方側に導かれた配線コード３５を配線係り止め体４０の上端部の係支孔４２に該係支孔４２と連通する一側寄りのコード挿入用溝孔４３から挿入して係支し、配線係り止め体４０の前面側を上記配線基板３０の後面側に当接して配線基板３０の上部の位置決め用凹部を兼ねたコード挿入用溝孔３３に配線係り止め体４０の後面上部の位置決め用凸部４４を嵌めつけると同時に、配線基板３０の一側の位置決め用凹部３４に配線係り止め体４０の後面一側の位置決め用凸部４５をも嵌めつけて配線基板３０に対し配線係り止め体４０を位置決め接合する。このとき、配線係り止め体４０の係支孔４２と配線基板３０の係支孔３２とは略同一位置にあって配線コード３５を２つの係支孔３２、４２で係支して後方に誘導し保持する。そして、配線係り止め体４０のネジ挿通孔４０ａと配線基板３０のネジ挿通孔３０ｂとは同一軸線上に位置する。
【００２２】
　最後に配線係り止め体４０の下部のネジ挿通孔４０ａから止めネジ４６を配線基板３０のネジ挿通孔３０ｂを介して挿入して風車取付板２０の螺筒体２４に螺合して締め付けることにより、風車取付板２０と配線基板３０及び配線係り止め体４０は一体的に結合され、配線コード３５が係支孔３２、４２に係支されて後方に誘導保持されるとともに、配線基板３０の後面プリント配線部分が配線係り止め体４０で覆われて防護される。而して、配線コード３５は係支孔３２、４２から絶対に抜けることがなく誘導保持できる。また、配線基板３０と配線係り止め体４０は係止凸部４４、４５と位置決め用凹部３３、３４を嵌合して位置決めしてから一箇所の止めネジ４６を締め付けるだけで組立てできるので、作業が簡単である。
【００２３】
　上記のような手順で組み立てられたランプ風車１１は、遊技盤３の所定の位置に風車取付板２０の両端後部に突設されたピン２５、２５で位置決めした後、両端のビス孔２６、２６を介してビス止めにより取付けられ、その後、遊技盤３の裏側に導かれた配線コード３５の他端の配線端子コネクタ３９を電源コネクタに差し込み結合することにより、上記ランプ２８、２８は点灯可能となり、回転羽根体１２をランプ孔２２、２２からその光線で照らして浮き上がらせその装飾効果を高めるものである。
【００２４】
　配線基板等を外す場合には、配線係り止め体４０の一個所の止めネジ４６を外すだけの簡単な作業で、配線係り止め体４０を外し、しかる後配線係り止め体４０係止凸部を配線基板３０の溝孔（凹部）より外すことができ、配線基板、ランプ等の取替えができる。
【００２５】
　以上この発明の実施の形態の一例について説明したが、この発明はこうした実施の形態に何等限定されるものではなく、この発明の要旨を逸脱しない範囲において種々なる形態で実施しうることは勿論である。
　たとえば、本実施の形態のようにパチンコ機の装着部品のうちのランプ風車１１に付設するほか、固定入賞口その他の装着部品にも適用でき、また、配線基板３０の係支孔３１に連通するコード挿入用溝孔３３を配線係り止め体４０の位置決め用凸起４４が係合する凹部に兼備させているが、コード挿入用溝孔３３とは無関係の独立した凹部を設けてもよい。この場合、配線基板３０の係支孔３１と配線係り止め体４０の係支孔４１とは略同一位置にあり、しかも、配線係り止め体４０のコード挿入用溝孔４３は係支孔４１の一側に偏倚して設けられているため、配線基板３０コード挿入用溝孔３３が開放されていても配線コード３５は配線基板３０の係支孔３１の存在と相まって配線係り止め体４０の係支孔４１により確実に係支され保持される。上記実施形態では、ランプ風車の場合を説明したが、これに限られるものではなく、サイドランプ基板、飾り枠内のランプ基板等にも利用可能である。
【図面の簡単な説明】
【００２６】
【図１】この発明のパチンコ機における基板配線保持構造を適用するパチンコ機の一例を示した正面図である。
【図２】この発明を適用した風車の正面図である。
【図３】同側面図である。
【図４】同平面図である。
【図５】要部だけの拡大背面図である。
【図６】分解斜視図である。
【図７】図５のＸ−Ｘ断面図である。
【符号の説明】
【００２７】
　１１　ランプ風車
　１２　回転羽根体
　２０　風車取付け板
　２８　ランプ
　３０　配線基板
　３２　配線係支孔
　３３　配線コード挿入用溝孔（位置決め用凹部を兼ねる）
　３４　位置決め用凹部
　３５　配線コード
　３６　配線端子コネクタ
　３７　コードコネクタ
　４０　配線係り止め体
　４２　配線係支孔
　４３　配線コード挿入用溝孔
　４４　位置決め用凸部
　４５　位置決め用凸部
【図１】
2004105773.tif 000003
【図２】
2004105773.tif 000004
【図３】
2004105773.tif 000005
【図４】
2004105773.tif 000006
【図５】
2004105773.tif 000007
【図６】
2004105773.tif 000008
【図７】
2004105773.tif 000009